(57)【特許請求の範囲】
【請求項１】
ガイドレールと、このガイドレールに吊下げ案内されて開閉する戸先側及び戸尻側の、折り畳み可能に連結した少なくとも２枚の折り戸体から成る折り戸において、
前記折り戸体を折り畳み方向に蹴り出す蹴り出し装置と、
この蹴り出し装置によって前記折り戸体が蹴り出されて回動しつつ戸尻方向に折り畳みを開始するまでは前記折り戸体の回動を規制して前記折り戸体が水平移動をし、前記折り戸体が蹴り出されて回動しつつ戸尻方向に折り畳みを開始した後は折り戸体の回動のない水平移動を規制する作動規制装置とを有すること
を特徴とする折り戸。
【発明の詳細な説明】
【技術分野】
【０００１】
この発明は、構造が簡単であり、開閉操作が軽く、また、閉状態や開状態でガタつきのない折り戸に関する。
【背景技術】
【０００２】
折り戸は、ヒンジで連結した２枚の折り戸体を折り畳んで開いたり、伸展して閉じたりするため、開閉時の反動によって確実に開閉できなかったり、折り戸体に不用意に触れるなど開閉方向以外の意図しない外力がかかって不意に開閉を開始したり、ガタついたりする欠点がある。
【０００３】
そのために、図２４に示すように、第１アーム１０１内に出没可能な第２アーム１０２を設け、この第１アーム１０１内に第２アーム１０２の先端に設けた係止部１０３と係合する複数の被係止部１０４ａ、１０４ｂ、１０４ｃを設けて伸縮具１０５を構成し、この伸縮具１０５の一端を折り戸の戸尻側折り戸体２に、他端を戸先側折り戸体３に接続することが提案されている（特許文献１）。この折り戸は、開閉に伴って伸縮する伸縮具１０５を用いることにより、全閉時に第２アーム１０２の係止部１０３が第１アーム１０１の被係止部１０４ａと係合し、全開時にはこの係止部１０３が被係止部１０４ｃと係合し、また開閉の中間時には係止部１０３が被係止部１０４ｂと係合して、折り戸が不用意に開閉したり、ガタついたりすることを防止することができる。
【０００４】
次に、折り戸は、戸尻側折り戸体と戸尻側折り戸体を折り畳んで開くために、開き操作の初期段階で２枚の折り戸体の連結部を折り畳み方向に蹴り出すことが必要である。この蹴り出し操作は人手によってもすることができるが、一挙動の開き操作で行えるようにするために、折り戸に蹴り出し装置ないし蹴り出し機構を用いたものが少なくない。
【０００５】
この蹴り出し機構として、図２５に示すように、２枚の折り戸体２、３を連結するヒンジ体１０６の回動中心１０７を２枚の折り戸体の厚さ方向の中心Ｌに対して折畳み方向に位置をずらして構成したものが知られている（特許文献２）。この蹴り出し機構を使用した折り戸は、ガイドレールに平行に開き操作をすると、ヒンジ体１０６の回転中心が偏心して上記の位置ずれがあるために、折畳み方向の分力が生じて折り戸体２、３が蹴り出され、折り畳まれて行く。
【０００６】
また、この蹴り出し機構として、図２６に示すように、戸先側折り戸体３の戸先側に小扉体５を設け、戸先側折り戸体３の戸先側に傾斜面を有する蹴り出しブロック１０８を突設したものが知られている（特許文献３）。この折り戸は、初期開き操作によって小扉体５がガイドレールに沿って平行移動を開始して戸先側折り戸体の蹴り出しブロック１０８に接触し、さらにこの蹴り出しブロック１０８の斜面１０９に乗り上げると、この斜面１０９のカム作用によって回転力が生じ、戸先側折り戸体３は蹴り出される。
【先行技術文献】
【特許文献】
【０００７】
【特許文献１】特開平８−１６５８３９号公報
【特許文献２】特開２０００−１３００３０号公報
【特許文献３】特許第３３７２２４１号公報
【発明の概要】
【発明が解決しようとする課題】
【０００８】
しかしながら、図２４に示す折り戸は、折り戸体に補助具である伸縮具１０５を取付けなければならない。また、取付け個所は折り戸体２、３を跨ぐ各上縁や下縁に限られるから、この部分に伸縮具１０５の取付け空間や回動空間を確保しなければならない。また、折り戸の不用意な開閉やガタつきの防止の程度は、係止部１０３と被係止部１０４ａ、１０４ｂ、１０４ｃとの係合強度の如何によるが、この係合強度が強すぎると、折り戸の開閉操作に強い力を要することとなる問題が残っている。
【０００９】
また、図２５に示す折り戸は、上記の位置ずれ寸法を大きくしないと、折り畳みを円滑に行うだけの十分な分力は生じないために、実際には開放の初期操作に大きな力を要する。
【００１０】
また、図２６に示す折り戸は、初期開き操作時に小扉体を２枚の折り戸体２、３とは別に移動するために、小扉体と２枚の折り戸体２、３とは別のガイドレールを水平方向に並置して用いなければならないから、構造が複雑になり、また、蹴出しブロック１０８を戸先側折り戸体の戸先側に設けるために、開放の初期操作に比較的大きな力を要する。
【００１１】
そこで、この発明は、構造が簡単であり、開閉操作が軽く、また、閉状態や開状態でガタつきのない折り戸を提供することを課題とする。
【課題を解決するための手段】
【００１２】
この発明は、ガイドレールと、このガイドレールに吊下げ案内されて開閉する戸先側及び戸尻側の、折り畳み可能に連結した少なくとも２枚の折り戸体から成る折り戸に、折り戸体を折り畳み方向に蹴り出す蹴り出し装置と、この蹴り出し装置によって前記折り戸体が蹴り出されて回動しつつ戸尻方向に折り畳みを開始するまでは前記折り戸体の回動を規制して前記折り戸体が水平移動をし、前記折り戸体が蹴り出されて回動しつつ戸尻方向に折り畳みを開始した後は折り戸体の回動のない水平移動を規制する作動規制装置を設けた。
【００１３】
また、この発明は、ガイドレールに吊下げ案内された扉体が回動することなく戸尻方向に水平移動した後、前記扉体が回動しながら戸尻方向に水平移動して開く折り戸を含む回転扉の作動規制装置として、前記回転扉の扉体に設けた取付けベースと、この取付けベースに設けて前記ガイドレールに吊下げ案内される回動軸と、この回動軸によって回動自在に支持される歯車と、前記取付けベース又は歯車のいずれか一方に設けたストッパー体と、前記取付けベース又は歯車のいずれかの他方に設けた前記ストッパー体を所定角度回動自在に収容する回動空間と、前記扉体を設ける開口壁面に前記ガイドレールと並行に固定した前記歯車に噛合う制動ラックと、前記扉体の戸尻方向への移動を規制する移動規制体から成り、前記扉体が全閉状態で、前記歯車が前記制動ラックの前端に噛合うとともに前記ストッパー体の一端が前記回動空間の前方端壁に当接し、前記扉体が開き方向にガイドレールに沿って回動することなく水平移動することにより、前記歯車が回動しながら前記制動ラック上の前端から後退して前記回動空間の後方端壁が前記ストッパー体の他端に当接した後、この後方他壁が前記他端を押圧して前記扉体を開き方向に回動させ、前記歯車が回動しながら前記制動ラック上をさらに後退することにより、前記扉体は回動しながら前記移動規制体によって移動を規制されるまで戸尻方向に移動し、前記扉体の戸尻方向への移動が前記移動規制体によって規制された後も、前記扉体は戸尻方向に回動し続け、この回動に伴って前記ストッパー体の一端が前記前方端壁に当接して前記扉体が全開するように回転扉の作動規制装置を構成することが好ましい。
【００１４】
この作動規制装置は、扉体が全閉状態でストッパー体の一端が回動空間の前方端壁に当接しているので、歯車は制動ラックの前端からさらに前方に回動することがなく、したがって、扉体は全閉状態からさらに戸尻方向に動くことはない。また、前記扉体が全開状態でもストッパー体の一端が前記前方端壁に当接しているので、扉体を戸先方向に引かないかぎり、扉体は戸先方向に回動しながら水平移動することはない。
【００１５】
この作動規制装置は、移動規制体として、前記回動軸を回動自在に支持して前記ガイドレール上を走行する戸尻側上吊車の戸尻側への走行を規制する規制体を採用することができる。この規制体によって戸尻側上吊車が戸尻方向への移動を規制された後も、戸尻側上吊車によって回動自在に支持されている回動軸は回動可能であるから、前記扉体も戸尻方向に回動し続けることができ、回転扉の作動規制装置として用いることができる。
【００１６】
また、この作動規制装置は、前記扉体の戸尻側側面が前記回動軸を中心とする半円の円弧面であるとき、前記移動規制体として、前記開口壁面の戸尻側に設けた、前記扉体の戸尻側側面に当接する当接体を採用することができる。この当接体は、扉体の円弧面の戸尻側側面に当接して扉体の戸尻方向への移動を規制するが、前記扉体が戸尻方向に回動し続けようとするとき、当接体は円弧面の戸尻側側面に当接しながら円弧面上を相対的に移動するので、この移動によって前記規制後も前記扉体は戸尻方向に回動し続けることができ、回転扉の作動規制装置として用いることができる。
【００１７】
この蹴り出し装置は、蹴り出しアーム部と、蹴り出しブロック部から成り、前記蹴り出しアーム部は折り戸体から反蹴り出し方向に突出して先端に係合頭部を有するアーム体を有し、前記蹴り出しブロック部は、前記係合頭部と係合して折り戸体の回動を規制しつつ折り戸体を戸尻方向に案内する直進溝部と、前記係合頭部を蹴り出し方向に案内して前記蹴り出しブロック部から開放する傾斜開放部とを連続して設けた溝部を有して構成する。
【００１８】
このアーム体を、蹴り出しアーム部の支持具に回動自在に取付けてもよい。このように回動自在に取付けると、折り戸体の開閉操作時に係合頭部が直進溝部から傾斜開放部へと移動し、あるいは逆に移動するとき、これらの移動をよりスムーズに行うことができる。
【００１９】
前記蹴り出しブロック部の直進溝部には、前記係合頭部が反蹴り出し方向に通過可能な開口部を設けてもよい。この開口部を設けると、折り戸体を蹴り出し方向に回動して開き操作を行えない事故等の事情がある場合にも、係合頭部をこの開口部から通過させることにより、折り戸体を反蹴り出し方向に回動して開き操作をすることができる。
【００２０】
次に、この振れ止め装置は、前記第２回動軸は外周一側に切欠面を設けた円柱状とし、前記ガイド軸は、前記第２回動軸より戸先側に所定間隔を開けて、前記第２回動軸の外周一端と前記ガイド軸の外周一端とを前記扉が全閉時に前記扉と平行となる同一直線上に配して設け、前記回動軸受け部は、前記第２回動軸を前記扉体と並行な内外の対向壁で挟持して直線方向に案内する直線案内部と、前記第２回動軸が前記直線案内部に出入りする始端開口部の前記対向壁の一方の壁面に他方の壁面に向かって突出する、第２回動軸の通過時に前記切欠面と対向して第２回動軸が通過可能な規制凸部と、前記直線案内部の終端に設けた前記第２回動軸を係止する前記係止凹部と、前記ガイド軸を前記扉体と並行な対向壁で挟持して直線方向に案内する、前記係止凹部に連接した第２直線案内部と、前記対向壁のうち内側の壁側に開口した前記ガイド軸が出入りする終端開口部と、前記第２直線案内部の終端に連接して前記ガイド軸を前記終端開口部に案内する曲線案内部から構成している。
【００２１】
また、他の振れ止め装置は、前記扉体又はこの扉体を支持する前記開口壁面のいずれか一方に設けた前記扉体の第２回動軸及びガイド軸と、他方に設けた回動軸受け部とからから構成し、前記第２回動軸を前記扉体の回動軸と同軸に設け、前記ガイド軸は軸径を前記第２回動軸の軸径より細く形成して、このガイド軸を前記第２回動軸より戸尻側に所定間隔を開けて、前記第２回動軸の外周一端と前記ガイド体の外周一端とを前記扉が全閉時に前記扉と平行となる同一直線上に配して設け、前記回動軸受け部は、前記扉が全閉時にみて、前記第２回動軸を平行な対向壁で挟んで前記扉と平行な直線上を戸尻方向に案内する直線案内溝部と、この直線案内溝部の戸尻側に連接した扇状凹部から成り、前記直線案内溝部の前記対向壁の内側一辺と前記扇状凹部の直線から成る一辺とが直角となるように配し、前記直線案内溝部の前記対向壁の外側他辺と前記扇状凹部の直線から成る他辺との間に前記第２回動軸の戸尻側への移動を規制する係止凹部を介在させ、前記扉体が回動することなく戸尻側又は戸先側に平行移動するとき、前記第２回動軸の外周一端及び前記ガイド軸の外周一端が前記直線案内溝部の前記対向壁の内側一辺に沿って移動し、前記扉体が回動するとき、前記ガイド軸が前記扇状凹部の一辺に沿って移動し、前記扉体が回動しつつ戸尻側に平行移動するとき、前記第２回動軸の外周他端が前記直線案内溝部の前記対向壁の外側一辺に沿って前記係止凹部に係合して規制するまで移動するように構成している。
【００２２】
上記の移動規制体として、これらの振れ止め装置を用いて上記の回転扉の作動規制装置の構成としてもよい。これらの振れ止め装置を上記の移動規制体として使用したときは、開き操作によって閉じた回転扉が回動を開始するまでの戸尻方向への水平移動のときに、前記第２回動軸は前記直線案内部又は直線案内溝部に案内されて直線的な水平移動のみが許容され、前記第２回動軸が前記係止凹部に係止した後は、回転扉は前記第２回動軸を中心とした回動のみが許容される。
【００２３】
また、これらの折り戸には、開閉操作を容易にするために、戸先側折り戸体の戸先側に小扉体を設けてもよい。
【００２４】
また、前記小扉体の戸尻側下端に、前記第１の振れ止め装置のガイド軸が係合できる凹部を設けることが好ましい。この凹部を設けたときは、折り戸を全開状態にしたとき、小扉体は凹部で振れ止め装置のガイド軸と係合して、折り戸のガタツキを防止することができる。
【発明の効果】
【００２５】
この発明の折り戸は、蹴り出し装置によって前記折り戸体が蹴り出されて回動しつつ戸尻方向に折り畳みを開始するまでは前記折り戸体の回動を規制して前記折り戸体が水平移動をし、前記折り戸体が蹴り出されて回動しつつ戸尻方向に折り畳みを開始した後は折り戸体の回動のない水平移動を規制する作動規制装置とを有する。そのために、全閉状態や全開状態の折り戸体に不用意に触れるなど開閉方向以外の意図しない外力がかかっても開閉を開始したり、ガタついたりすることはない。
【図面の簡単な説明】
【００２６】
【図１】実施の形態の折り戸を示す説明図であり、（ａ）は一部省略正面図、（ｂ）は一部省略上面図である。
【図２】戸尻側上吊車を示す分解斜視図である。
【図３】戸尻側上吊車を示す側面図である。
【図４】戸先側上吊車を示す側面図である。
【図５】蹴り出し装置を示す分解斜視図である。
【図６】蹴り出し装置を示す側面図である。
【図７】蹴り出し装置の開き操作の各段階の動きを示す説明図である。
【図８】作動規制装置の開き操作の各段階の動きを示す説明図である。
【図９】他の作動規制装置を示す要部拡大説明図である。
【図１０】蹴り出し装置を２つ使用した場合の開き操作の各段階の動きを示す説明図である。
【図１１】蹴り出し装置の直進溝部に設けた反蹴り出し方向の開口部を示す要部拡大説明図である。
【図１２】蹴り出し装置の直進溝部に設けた反蹴り出し方向の開口部を示す要部拡大説明図である。
【図１３】振れ止め装置を示す要部拡大説明図である。
【図１４】振れ止め装置の回動軸体と始端開口部の係止凸部を示す要部拡大説明図である。
【図１５】振れ止め装置の動作を示す説明図である。
【図１６】折り戸が反蹴り出し方向に回動した場合の振れ止め装置の動作を示す説明図である。
【図１７】折り戸が反蹴り出し方向に回動した場合の振れ止め装置の動作を示す要部拡大説明図である。
【図１８】他の振れ止め装置の直線案内溝部と第２回動軸部及びガイド軸との係合状態を示す説明図である。
【図１９】他の振れ止め装置の直線案内溝部と第２回動軸部及びガイド軸との展開斜視図である。
【図２０】折り戸が反蹴り出し方向に回動した場合の他の振れ止め装置の動作を示す説明図である。
【図２１】小扉体の凹部と振れ止め装置のガイド軸との係合状態を示す説明図である。
【図２２】２本のスライディングレールを使用した折り戸の正面図である。
【図２３】２本のスライディングレールを説明する縦断面図である。
【図２４】背景技術である伸縮具を示す説明図である。
【図２５】背景技術である蹴り出し機構を示す説明図である。
【図２６】背景技術である他の蹴り出し機構を示す説明図である。
【発明を実施するための形態】
【００２７】
〔実施の形態１〕
実施の形態１の折り戸１は、図１に示すように、戸尻側折り戸体２と戸先側の折り戸体３の２枚の折り戸体をその一端同士をヒンジ部４によって折り畳み自在に連結し、また、戸先側折り戸体３の他端に小扉体５をヒンジ部４によって回動自在に連結している。戸尻側折り戸体２の戸尻側上端には戸尻側上吊車１０を取付け、小扉体５の戸先側上端には戸先側上吊車３０を取付け、これらの上吊車１０、３０で上方の壁面７に設けたガイドレール６に走行自在に載置して折り戸1を開閉自在に吊下げている。
【００２８】
前記扉体を設ける開口壁面の戸尻側には、図１、図８に示すように、当接体２７を設けている。この当接体２７はゴムその他の弾性体を素材として用いると、戸尻側折り戸体の戸尻側側面に当接するときのショックを軽減して好ましく、また、戸尻側折り戸体の戸尻側側面に当接する当接体２７の先端部は戸尻側側面に向かって凸の曲面に形成すれば、戸尻側折り戸体の戸尻側側面の半円状外周面を相対的に移動しやすく、望ましい。
【００２９】
また、この当接体２７に代えて図１に示すように、戸尻側上吊車１０を支持するＬ形金具１４の戸尻側へ当接する当接体２７ａを設けてもよい。この当接体２７ａは戸尻側上吊車の戸尻側への走行を規制する規制体を構成する。この当接体２７ａに戸尻側上吊車のＬ形金具１４が当接して戸尻側折り戸体が戸尻方向への移動を規制された後も、戸尻側上吊車によって回動自在に支持されている回動軸は回動可能であるから、戸尻側折り戸体は全開するまで戸尻方向に回動し続けることができる。
【００３０】
戸尻側上吊車１０は、図２、図３に示すように、取付けベース１１に圧入した玉軸受１２によって回動軸１３を回動自在に支持し、この回動軸１３の上端にＬ形金具１４を取付け、このＬ形金具１４に設けた軸１５によって車輪１６を回転自在に支持している。
【００３１】
回動軸１３には扇状に切り欠いた歯車１７を固定している。この歯車１７の扇状の切り欠きは回動空間を構成している。また、取付けベース１１にはストッパー体２０を設けている。このストッパー体２０は前記回動空間に収容され、歯車１７が時計方向に相対的に回動するとき、ストッパー体の他端２２が歯車１７の後方端壁１９に当接し、歯車１７が反時計方向に回動するとき、ストッパー体の一端２１が歯車１７の前方端壁１８に当接するように歯車１７の回動半径内に配置している。
【００３２】
この戸尻側上吊車１０は、取付けベース１１を戸尻側折り戸体２の戸尻側上端にネジ止めして取付け、車輪１６をレール６に走行自在に載置している。また、レール６下方には、この歯車１７に噛合う制動ラック２３を取付けている。この実施の形態において、これらの取付けベース１１や回動軸１３、歯車１７、ストッパー体２０、制動ラック２３は作動規制装置２４を構成している。なお、この実施の形態では、取付けベース１１を戸尻側折り戸体２の戸尻側上端にネジ止めして取付けているが、戸尻側折り戸体２の外枠を取付けベースとして兼用してもよい。
【００３３】
戸先側上吊車３０は、図１、図４に示すように、Ｌ形金具３４に設けた軸３５によって車輪３６を回転自在に支持している。また、この戸先側上吊車３０はＬ形金具３４の下端を小扉体５の戸先側上端に取付け、車輪３６をレール６に走行自在に載置している。
【００３４】
蹴り出し装置４０は、図５、図６に示す通り、蹴り出しアーム部４１と、蹴り出しブロック部５１からなっている。この蹴り出しアーム部４１は、取付けベース４２の上面にコ形支持具４３を設け、このコ形支持具４３に軸４４を設けてアーム体４５の後端を回動自在に取付け、このアーム体４５の先端に係合頭部４６を設けている。この軸４４にはバネ４７を取付けてアーム体４５がコ形支持具４３の垂直壁４３ａに当接するように付勢している。この蹴り出しアーム部４１は、アーム体４５が反蹴り出し方向に突出するように取付けベース４２を介して戸先側折り戸体３の上端戸尻側に取付けている。
【００３５】
前記蹴り出しブロック部５１は、一端を開口する略Ｌ字状の案内溝５２を有し、この案内溝５２は前記係合頭部４６と係合して戸先側折り戸体３をレール６に沿って戸尻方向に案内する奥側の直進溝部５３と、前記係合頭部４６を蹴り出し方向に案内して前記蹴り出しブロック部５１から開放する前側の傾斜開放部５４を連続して有している。この蹴り出しブロック部５１は取付けカバー５５を取付けて、蹴り出しアーム部４１と蹴り出しブロック部５１との係合や離脱がスムーズにできるような位置でこの取付けカバー５５を壁面７に取付けるが、壁面７に予め取付け枠体６１を取付けておき、この取付け枠体６１を介して取付けてもよい。
【００３６】
この折り戸は、小扉体５の操作ハンドル５ａを戸尻側に向かって引いて開き操作を行い、また、小扉体５の操作ハンドル５ａを戸先側に向かって引いて閉じ操作を行う。この開閉操作の各段階における各部の動きは、次の通りである。
【００３７】
（１）初期段階
図８に示すように、折り戸は全閉状態では、歯車１７は制動ラック２３の前端に噛合っている。また、ストッパー体の一端２１は歯車１７の前方端壁１８に当接しているので、歯車１７は図示の反時計方向への回転を規制され、時計方向への回転のみが許容されている（図８（ａ））。
【００３８】
この全閉状態の折り戸１をその小扉体５の操作ハンドル５ａを戸尻方向に向かって引いて開き操作を開始すると、開き操作の初期段階には、折り戸体２、３及び小扉体５は全閉状態のままガイドレール６に沿って回動することなく戸尻方向に水平移動する（図７（ａ）（ｂ））。この水平移動に伴って、蹴り出しブロック部５１の案内溝５２の直進溝部５３に係合していた係合頭部４６は、傾斜開放部５４側に移動する。また、折り戸１の全閉状態のままの水平移動に伴って、折り戸１の全閉状態で前方端壁１８がストッパー体２０の一端に当接していた歯車１７は、図示時計方向に回転しつつ制動ラック２３上を戸尻側に後退し、歯車１７の前方端壁１８はストッパー体２０の一端２１から離れる（図８（ａ）（ｂ））。
【００３９】
（２）蹴り出し段階
開き操作の初期段階に蹴り出しブロック部５１の案内溝５２に係合していた係合頭部４６はこの案内溝５２の開口側に移動するが、やがて係合頭部４６は傾斜開放部５４と接触して開き操作の蹴り出し段階に入る。この蹴り出し段階では、係合頭部４６がこの傾斜開放部５４を摺動し、これに伴って生ずる分力によって折り戸体２、３は折り畳みを開始し、やがて係合頭部４６はこの傾斜開放部５４から抜け出し、蹴り出し段階を終える（図７（ｂ）（ｃ））。また、開き操作の初期段階に続いて制動ラック２３に噛合った歯車１７は回転しつつ制動ラック２３上を戸尻側に後退し続け、蹴り出し段階を終えると、歯車１７がその後方端壁１９がストッパー体２０の他端２２に当接する（図８（ｂ）（ｃ））。なお、小扉体５は回動することなく初期段階に引続いて戸尻側に水平移動し、その後も折り畳み終え段階に至るまで同様に回動することなく水平移動する。
【００４０】
（３）中間段階
蹴り出し段階を終えて開き操作を継続すると、２枚の折り戸体２、３はさらに折り畳まれ、即ち戸尻側折り戸体２は図示時計方向に回動する（図７（ｄ））。このとき、歯車１７は制動ラック２３に噛合ったままで戸尻側折り戸体２の半円弧面の戸尻側側面が当接体２７に当接するまで制動ラック２３上を回動し続けるので、歯車の後方端壁１９もストッパー体の他端２２を押圧し続け、折り畳みの中間段階を終える（図８（ｄ））。
【００４１】
（４）最終段階
戸尻側折り戸体２の半円弧面の戸尻側側面が当接体２７に当接して折り畳みの中間段階を終えた後、さらに開き操作を継続すると、戸尻側折り戸体２は図示時計方向にさらに回動して２枚の折り戸体２、３は戸尻側に次第に折り畳まれる（図７（ｄ）（ｅ））。このとき、戸尻側折り戸体２の回動に伴って当接体２７は戸尻側側面に当接しながら戸尻側側面の円弧面上を相対的に移動するので、この移動によって規制後も前記戸尻側折り戸体２は回動し続け、やがてストッパー体の一端２１は歯車の前方端壁１８に当接し、２枚の折り戸体２、３は完全に折り畳まれて折り戸１は全開状態となり、折り畳みの終了段階を終える（図７（ｆ）、図８（ｆ））。この折り戸１の全開状態では、ストッパー体の一端２１は歯車の前方端壁１８に当接しているので、歯車１７は図示の反時計方向への回転を規制され、時計方向への回転のみが許容されている（図８（ｆ））。
【００４２】
この全開状態の折り戸１を閉止するときは、小扉体５の操作ハンドル５ａを戸先側に向かって引く閉じ操作を行う。この閉じ操作の各段階における各部の動きは、上記の折り畳みの終了段階から初期段階に至る各部の動きと逆である。
【００４３】
この折り戸１は、上述の通り全閉状態や全開状態では、ストッパー体の一端２１は歯車の前方端壁１８に当接しているので、歯車１７は制動ラック２３上の図示の反時計方向への回転を規制され、時計方向への回転のみが許容されている。そのために、折り戸１は全閉状態からさらに戸先方向に動くことはない。また、折り戸１が全開状態でも、折り戸１を戸先方向に引かないかぎり、折り戸体２、３は戸先方向に回動しながら戸先方向に水平移動することはない。このように全閉状態から小扉体の操作ハンドル５ａを戸尻方向に向かって引いて開き操作を開始するか、逆に全開状態から小扉体の操作ハンドル５ａを戸先方向に向かって引いて閉じ操作を開始したときに限って、歯車１７は制動ラック２３上を図示の時計方向へ回転することができるから、全閉状態や全開状態の折り戸体２、３に不用意に触れるなど開閉方向以外の意図しない外力がかかっても開閉を開始したり、ガタついたりすることはない。
【００４４】
〔他の実施の形態〕
上述の実施の形態の作動規制装置２４では、扇状に切り欠いた歯車１７を用い、この歯車１７の扇状の切欠きを回動空間とし、取付けベース１１にストッパー体２０を設けたが（図２）、この作動規制装置２０の他の実施の形態として、図９に示すように、歯車として切欠きのない歯車１７ａを用い、この歯車１７ａ側にストッパー体としてストッパーピン２０ａを設け、取付けベース１１側に回動空間として回動溝２５を設けてもよい。この場合、ストッパーピン２０ａは歯車１７ａの回動に伴って回動溝２５内を前方端壁１８又後方端壁１９方向に移動して当接する。他の各部及びその動作は上述の実施の形態と同様である。
【００４５】
また、このストッパーピン２０ａは、図９に示すように１本でもよいが、所定間隔を空けて２本のストッパーピンを設けてもよい。また、上述の実施の形態では、取付けベース１１は戸尻側折り戸体２の上端に取付けているが、戸尻側折り戸体２の上端そのものを取付けベースとしてもよい。
【００４６】
上述の実施の形態では１個の蹴り出し装置を使用しているが、２個以上使用してもよい。図１０は第１蹴り出し装置４０ａ及び第２蹴り出し装置４０ｂの２個の蹴り出し装置を使用した場合を示している。第１蹴り出し装置４０ａ及び第２蹴り出し装置４０ｂは、各蹴り出しアーム部４１の取付けベース４２を戸先側折り戸体３の戸尻側と戸先側の上端に間隔を開けて取付けている。また、各蹴り出しブロック部５１は、上述の実施の形態と同様に、各蹴り出しアーム部４１と各蹴り出しブロック部５１との係合や離脱がスムーズにできるような位置でガイドレール６の下方に取付ければよい。
【００４７】
この２個の蹴り出し装置を使用した場合には、開き操作の上記の初期段階に各蹴り出し装置４０ａ、４０ｂの蹴り出しブロック部５１の案内溝５２に係合していた係合頭部４６はこの案内溝５２の開口側に移動し、やがて第１蹴り出し装置４０ａの係合頭部４６は先に傾斜開放部５４と接触して開き操作の蹴り出し段階に入る。この第１蹴り出し装置４０ａによる蹴り出し段階では、係合頭部４６がこの傾斜開放部５４を摺動し、これに伴って生ずる分力によって折り戸体２、３は折り畳みを開始し、やがて係合頭部４６はこの傾斜開放部５４から抜け出し、蹴り出し段階を終える（図１０（ａ）〜（ｃ））。続いて、第２蹴り出し装置４０ｂの係合頭部４６は傾斜開放部５４と接触して開き操作の蹴り出し段階に入り、同様に係合頭部４６が傾斜開放部５４を摺動して、折り戸体２、３の折り畳みを継続し、やがて係合頭部４６はこの傾斜開放部５４から抜け出し、蹴り出し段階を終える（図１０（ｃ）〜（ｅ））。
【００４８】
この蹴り出し段階では、作動規制装置２４は、開き操作の初期段階に続いて制動ラック２３に噛合った歯車１７が回転しつつ制動ラック２３上を戸尻側に後退し続け、第２蹴り出し装置４０ｂの蹴り出し段階を終えると、歯車１７がその後方端壁１９がストッパー体２０の他端２２に当接する（図８）。
【００４９】
３個以上の蹴り出し装置を使用した場合も同様に、戸先側折り戸体３の最戸尻側に設けた第１蹴り出し装置４０ａから蹴り出し動作を開始し、最戸尻側に設けた最終蹴り出し装置４０ｘが最後に蹴り出し動作を終える。また、作動規制装置２４はこの最終蹴り出し装置４０ｘの蹴り出し段階を終えると、歯車１７がその後方端壁１９がストッパー体２０の他端２２に当接する。
【００５０】
このように、この蹴り出し装置は２個以上を同時に使用することができるから、使用する蹴り出し装置の個数によっては折り戸体２、３の蹴り出し量を必要に応じて増減することができる。また、大きな折り戸であっても、蹴り出し装置の個数を増加して軽い力で折り戸を開閉することができる。
【００５１】
この蹴り出し装置は、図１１、１２に示すように、蹴り出しブロック部５１の直進溝部５３に係合頭部４６が反蹴り出し方向に通過可能な開口部５６を設けてもよい。この開口部を設けると、折り戸体の蹴り出し方向の側に人が倒れている等の事情で、蹴り出し方向への折り戸体の回動による開き操作を行えない場合であっても、係合頭部４６をこの開口部５６から通過させることにより、折り戸体を反蹴り出し方向に回動して開き操作をすることができる。
【００５２】
この場合、図６に示ように、蹴り出しブロック部５１を覆う化粧カバー５７をボルト５８で着脱可能としておけば、この化粧カバー５７を壁面７から外すだけで、係合頭部４６を反蹴り出し方向に通過させて回動することができる。また、この化粧カバー５７の下端に戸先側折り戸体３の反蹴り出し方向への回動をより確実に防止するために戸当り５９を設けておくのが望ましい。
【００５３】
図１３、１４、１５に示す実施の態様では、戸尻側折り戸体の下方に、振れ止め装置７１を設けている。この振れ止め装置７１は、第２回動軸７３とガイド軸８３並びに回動軸受け部７５から構成している。図示の場合、回動軸受け部７５を戸尻側折り戸体の２の戸尻側下端に設け、第２回動軸７３とガイド軸８３をベース７２に取付け、このベース７２を折り戸を取付ける壁面の戸尻側の下端に取付けているが、第２回動軸７３とガイド軸８３を直接に戸尻側折り戸体２の戸尻側下端に設け、回動軸受け部７５を折り戸を取付ける壁面の戸尻側の下端に取付けてもよい。
【００５４】
図１３に示すように、第２回動軸７３は外周一側に切欠面７４を設けた円柱状に形成している。このとき図示のように上部のみを切り欠いて下部に切欠段部７４ａを設けてもよい。ガイド軸８３は第２回動軸７３よりも小径の円柱状に形成し、第２回動軸７３と所定間隔を開けてベース７２に取付け、ユニット化している。なお、この実施の形態では回動軸受部７５の終端開口部８２を小さくするために、ガイド軸８３の軸径を第２回動軸７３の軸径よりも細くしているが、必要に応じて第２回動軸７３の軸径と同径にし、あるいは大径にしてもよい。
【００５５】
図１３、１４に示すように、回動軸受け部７５は、第２回動軸７３を対向壁で挟持して直線方向に案内する直線案内部７７を設け、この始端に第２回動軸７３を導入する始端開口部７６を開口している。この始端開口部７６の外側の壁の下方に規制凸部７８を設けて、第２回動軸７３の切欠面７４がこの規制凸部７８と対向したときにかぎって第２回動軸７３の通過を許容し、切欠面７４が規制凸部７８と非対向であるかぎり第２回動軸７３の通過を規制している。直線案内部７７の終端には第２回動軸７３を係止する回動軸係止凹部７９を設けている。
【００５６】
また、回動軸受け部７５には、回動軸係止凹部７９に連接して、ガイド軸８３を並行な対向壁で挟持して直線方向に案内する第２直線案内部８０を設けている。ガイド軸８３が出入りする終端開口部８２は対向壁のうち内側の壁側に開口し、第２直線案内部８０の終端に連接して前記ガイド軸を終端開口部８２に案内できるように曲線案内部８１を設けている。
【００５７】
この振れ止め装置７１を前記折り戸に用いると、上述の開き操作で折り戸体２、３及び小扉体５は戸尻方向に水平移動するので、第２回動軸７３は直線案内部７７に案内されて、切欠面７４を始端開口部７６に設けた規制凸部７８と対向して、規制凸部７８をすり抜け、やがて回動軸係止凹部７９に係合する（図１５（ａ）、（ｂ））。このとき、ガイド軸８３は第２直線案内部８０に案内されて終端開口部８２方向に移動する。こうして折り戸体２、３及び小扉体５が戸尻方向に水平移動するとき、直線案内部７７に案内される第２回動軸７３と第２直線案内部８０に案内されるガイド軸８３によって回動軸受け部７５の回転を規制し、したがって折り戸の回転を規制することができる。
【００５８】
また、第２回動軸７３が回動軸係止凹部７９に係合すると、折り戸体２、３は回動を許容されるが水平方向への移動は規制されるので、折り戸体２、３（回転扉）の水平移動と回動の動作を分離して規制することができ、折り戸体２、３の振れ止めを防止することができる。なお、折り戸体２、３が回動すると、これに取付けた回動軸受け部７５も係合している第２回動軸７３を回動中心として回動する。そのため、第２回動軸７３の切欠面７４は始端開口部の規制凸部７８に対向しなくなって、第２回動軸７３の始端開口部７６方向への相対的移動を規制し、したがって折り戸の移動を規制することができる。
【００５９】
折り戸体２、３の回動に伴って回動軸受け部７５も係合している第２回動軸７３を回動中心として回動すると、やがて、ガイド軸８３は終端開口部８２を抜け出す（図１５（ｂ）、（ｃ））。
【００６０】
この振れ止め装置７１は、上記の移動規制体として使用することができる。この振れ止め装置７１を上記の移動規制体として使用したときは、折り戸（回転扉）の回動を開始するまでの開き方向の水平移動のときに前記第２回動軸が前記直線案内部７７に案内されて直線的は水平移動のみが許容され、前記第２回動軸が前記係止凹部７９に係止するときは、回転扉の回動のみが許容される。
【００６１】
折り戸を反蹴り出し方向に蹴り出すときは、図１６、１７に示すように、戸尻側折り戸体２は、ガイド軸８３を回動中心として、反蹴り出し方向に蹴り出すことができる。
【００６２】
図１８、１９、２０に示す実施の態様では、戸尻側折り戸体の下方に、他の振れ止め装置９１を設けている。この振れ止め装置９１は、第２回動軸９３とガイド軸９４並びに回動軸受け部９５から構成している。図示の場合、折り戸を設けた開口部の床面に回動軸受け部９５を設け、第２回動軸９３とガイド軸９４をベース９２に取付け、このベース９２を戸尻側折り戸体の２の戸尻側下端に設けているが、逆に取付けてもよい。
【００６３】
図１９に示すように、第２回動軸９３の径はガイド軸９４の径より大きく形成している。これらの各軸９３、９４の外周にはブッシュを外嵌してもよい。
【００６４】
図２０に示すように、回動軸受け部９５は、扉が全閉時にみて、前記第２回動軸９３を平行な対向壁で挟んで前記扉と平行な直線上を戸尻方向に案内する直線案内溝部９７を設けている。また、この直線案内溝部９７の戸尻側に連接して扇状凹部９８を設けている。この直線案内溝部９７と扇状凹部９８とは、直線案内溝部９７の前記対向壁の内側一辺９７ａと扇状凹部９８の直線から成る一辺９８ａとが直角となるように配している。また直線案内溝部９７の外側他辺９７ｂと前記扇状凹部の直線から成る他辺９８ｂとの間に前記第２回動軸の戸尻側への移動を規制する係止凹部９９を介在させている。
【００６５】
この振れ止め装置９１を前記折り戸に用いると、上述の開き操作で折り戸体２、３及び小扉体５は戸尻方向に水平移動するので、第２回動軸９３とガイド軸９４は直線案内溝部９７に案内されて戸尻方向に水平移動する。そして、折り戸体２、３が回動しはじめるとき、ガイド軸９４は、直線案内溝部の内側一辺９７ａから扇状凹部の一辺９８ａに入る（図２０（ａ）、（ｂ））。さらに折り戸体２、３が回動を進めると、やがて第２回動軸９３は係止凹部９９と係合して、戸尻方向の移動を規制され、その後第２回動軸９３を中心とする回動のみが許容される（図２０（ｂ）、（ｃ））。こうして折り戸体２、３及び小扉体５が戸尻方向に水平移動するとき、直線案内溝部９７に案内される第２回動軸９３とガイド軸９４によって折り戸の回転を規制することができる。
【００６６】
この他の振れ止め装置９１は、先に述べた振れ止め装置７１と同様に、上記の移動規制体として使用することができる。この振れ止め装置９１を上記の移動規制体として使用したときは、折り戸（回転扉）の回動を開始するまでの開き方向の水平移動のときに第２回動軸９３が直線案内溝部９７に案内されて直線的は水平移動のみが許容され、前記第２回動軸９３が前記係止凹部９９に係止するときは、回転扉の回動のみが許容される。
【００６７】
小扉体５は、開閉操作を容易にするためのものであるから、設けることが好ましいが、なくてもよい。小扉体５を設けないときは、戸先側折り戸体３に図示しない操作ハンドルを設ければよい。
【００６８】
小扉体５のある折り戸に振れ止め装置７１を使用するときは、図２１に示す通り、小扉体５の戸尻側下端に、振れ止め装置７１のガイド軸８３が係合できる凹部８５を設けることが望ましい。この凹部８５を設けたときは、折り戸を全開状態にしたとき、小扉体５は凹部８３で振れ止め装置７１のガイド軸８３と係合して、折り戸のガタツキを防止することができる。
【００６９】
折り戸を吊下げるレール６は、図１に示すように１本でよいが、図２２、図２３に示すように、２本のレール６ａ、６ｂを使用してもよく、必要に応じてさらにレールの本数を増加してもよい。この２本のレール６ａ、６ｂは、レール内を可動するベース８７を用いるスライディングレールであり、レール６ａは小扉体５を、レール６ａは戸尻側折り戸体２を吊下げている。このようにレールを適宜増加することにより、レールに加わる荷重を各レールで分散することができ、また、設計の自由度を増すことができる。
【００７０】
なお、上述の折り戸や回転扉は、開き操作の初期段階には、全閉状態のままガイドレール６に沿って回動することなく戸尻方向に水平移動するものであるが、この開き操作の初期段階における回動することのない水平移動は、施工時の各装置の設定により、省略することができる。即ち、折り戸の全閉したとき、開き操作の開始と同時に蹴り出し装置４０による折り戸体２の蹴り出しができるように、蹴り出し装置４０で、係合頭部４６が蹴り出しブロックの傾斜開口部５４に位置して折り戸の蹴り出し可能な状態（図７（ｂ））となるように各装置を調整すればよい。
【産業上の利用可能性】
【００７１】
これらの折り戸は、浴室やエレベータの戸として使用することができる。
【符号の説明】
【００７２】
１      折り戸
２      戸尻側折り戸体
３      戸先側折り戸体
４      ヒンジ部
５      小扉体
５ａ    操作ハンドル
６      ガイドレール
６ａ    スライディングレール
６ｂ    スライディングレール
７      壁面
１０    戸尻側上吊車
１１    取付けベース
１２    玉軸受
１３    回動軸
１４    Ｌ形金具
１５    軸
１６    車輪
１７    歯車
１８    前方端壁
１９    後方端壁
２０    ストッパー体
２１    ストッパーの一端
２２    ストッパーの他端
２３    制動ラック
２４    作動規制装置
２５    回動溝
２７    当接体
２７ａ  当接体
３０    戸先側上吊車
３４    Ｌ形金具
３５    軸
３６    車輪
４０    蹴り出し装置
４０ａ  第１蹴り出し装置
４０ｂ  第２蹴り出し装置
４０ｘ  最終蹴り出し装置
４１    蹴り出しアーム部
４２    取付けベース
４３    コ形支持具
４４    軸
４５    アーム体
４６    係合頭部
４７    バネ
５１    蹴り出しブロック部
５２    案内溝
５３    直進溝部
５４    傾斜開放部
５５    取付けカバー
５６    開口部
５７    化粧カバー
５８    ボルト
５９    戸当り
６１    取付け枠体
７１    振れ止め装置
７２    ベース
７３    第２回動軸
７４    切欠面
７４ａ  切欠段部
７５    回動軸受け部
７６    始端開口部
７７    直線案内部
７８    規制凸部
７９    回動軸係止凹部
８０    第２直線案内部
８１    曲線案内部
８２    終端開口部
８３    ガイド軸
８５    凹部
８６    戸当り
８７    ベース
８８    コロ
９１    振れ止め装置
９２    ベース
９３    第２回動軸
９３ａ  ブッシュ
９４    ガイド軸
９４ａ  ブッシュ
９５    回動軸受け部
９７    直線案内溝部
９７ａ  内側一辺
９７ｂ  外側他辺
９８    扇状凹部
９８ａ  一辺
９８ｂ  他辺
９９    係止凹部
１０１    第１アーム
１０２    第２アーム
１０３    係止部
１０４ａ  被係止部
１０４ｂ  被係止部
１０４ｃ  被係止部
１０５    伸縮具
１０６    ヒンジ体
１０７    回動中心
１０８    蹴り出しブロック
１０９    斜面
Ｌ      厚さ方向の中心
【図１】
0005236793.tif 000002
【図２】
0005236793.tif 000003
【図３】
0005236793.tif 000004
【図４】
0005236793.tif 000005
【図５】
0005236793.tif 000006
【図６】
0005236793.tif 000007
【図７】
0005236793.tif 000008
【図８】
0005236793.tif 000009
【図９】
0005236793.tif 000010
【図１０】
0005236793.tif 000011
【図１１】
0005236793.tif 000012
【図１２】
0005236793.tif 000013
【図１３】
0005236793.tif 000014
【図１４】
0005236793.tif 000015
【図１５】
0005236793.tif 000016
【図１６】
0005236793.tif 000017
【図１７】
0005236793.tif 000018
【図１８】
0005236793.tif 000019
【図１９】
0005236793.tif 000020
【図２０】
0005236793.tif 000021
【図２１】
0005236793.tif 000022
【図２２】
0005236793.tif 000023
【図２３】
0005236793.tif 000024
【図２４】
0005236793.tif 000025
【図２５】
0005236793.tif 000026
【図２６】
0005236793.tif 000027